(57)【要約】【課題】包装体の開封を容易に行うことができる包装体を形成することができると共に、包装体の開封後には、使用済みの物品や他の物品を収容する袋材として使用することもできる包装材を提供することを課題とする。【解決手段】外シートと内シートとが重なり合うように配置された状態で外シートと内シートとが連結されると共に、外シートと内シートとの間に内部空間が形成された本体部を備えており、外シートが外側となるように本体部で物品を包装する包装材であって、外シートは、一方向における両端部よりも中央部側の領域に、前記一方向に交差する他方向に延びるように形成されて前記一方向に並列して配置される一対の内側端部を備えており、本体部は、一対の内側端部を備える位置で前記他方向に沿って二つに折り返された際に対向するように配置される一対の対向部を備えると共に、一対の内側端部の間から内部空間が外側の空間と連通するように構成されており、該一対の対向部が対向するように配置された状態で一対の対向部同士が分離可能に連結される。【選択図】図１
2020019539.tif 000002
【特許請求の範囲】
【請求項１】
外シートと内シートとが重なり合うように配置された状態で外シートと内シートとが連結されると共に、外シートと内シートとの間に内部空間が形成された本体部を備えており、外シートが外側となるように本体部で物品を包装する包装材であって、
外シートは、一方向における両端部よりも中央部側の領域に、前記一方向に交差する他方向に延びるように形成されて前記一方向に並列して配置される一対の内側端部を備えており、
本体部は、一対の内側端部を備える位置で前記他方向に沿って二つに折り返された際に対向するように配置される一対の対向部を備えると共に、一対の内側端部の間から内部空間が外側の空間と連通するように構成されており、
該一対の対向部が対向するように配置された状態で一対の対向部同士が分離可能に連結される包装材。
【請求項２】
外シートは、一枚の外シート材から構成され、内シートは、一枚の内シート材から構成されており、
該外シート材が前記他方向に延びる線状に切り込まれて形成された切込部によって一対の内側端部が形成される請求項１に記載の包装材。
【請求項３】
外シートは、前記一方向に間隔を空けて配置された一対の外シート片から構成されており、
一方の外シート片における他方の外シート片側の端部と、他方の外シート片における一方の外シート片側の端部とによって一対の内側端部が形成される請求項１に記載の包装材。
【請求項４】
生理用品、紙おむつ、マスク、ウェットティッシュ、及び、ガーゼからなる群から選択される少なくとも一つの物品が請求項１乃至３の何れか一項に記載の包装材を用いて包装されてなる包装体であって、
外シートが外側となるように本体部が一対の内側端部を備える位置で前記他方向に沿って折り返されて一対の対向部の間に物品が配置された状態で、一対の対向部が分離可能に連結されてなる包装体。
【発明の詳細な説明】
【技術分野】
【０００１】
本発明は、物品を包装する包装材、及び、該包装材で物品が包装されてなる包装体に関する。
【背景技術】
【０００２】
従来から、シート状の包装材を用いて物品が包装されてなる包装体として、プラスチックフィルム等の包装材が袋状に形成されてなるものが知られている。斯かる包装体を形成する方法としては、例えば、矩形状の包装材における一方向に延びる一対の側端部を重ね合わせて筒状に形成した状態で、該一対の側端部をシールして背貼り部を形成し、包装材における筒状に形成された領域の両端部を閉塞して一対の閉塞端部を形成することで、一対の閉塞端部間に物品が収容される収容空間が形成された包装体（所謂、ピロー包装体）を形成することができる（特許文献１参照）。
【０００３】
このような包装体を開封する方法としては、一般的に、包装体における物品を収容した領域を切断する方法が採用されている。具体的には、一方の閉塞端部にＶ字状のノッチを形成したり、包装体の端部を切断可能に構成したりすることで、ノッチ等を切っ掛けに包装体における物品を収容した領域を切断する。これにより、包装体の収容空間から物品を取り出すことが可能となる。
【先行技術文献】
【特許文献】
【０００４】
【特許文献１】特開２００４−２５６１５８号公報
【発明の概要】
【発明が解決しようとする課題】
【０００５】
しかしながら、上記のような包装体では、包装体の端部におけるノッチ等を形成した位置が左右の手の間に位置するように、左右の手で包装体の端部を摘み、その状態で左右の手を離間させることで、ノッチ等を切っ掛けに包装体が切断されることになる。つまり、上記のような包装体では、包装体を開封する際に両手を使う必要があるため、使用する環境や使用者の状態によっては、包装体を開封する作業が繁雑なものとなる。
【０００６】
また、包装体内の物品が使用済みの物品に対する交換品である場合がある。例えば、紙おむつや生理用品等の衛生用品は、使用済みのものを使用前のものと交換する必要がある。このため、このような衛生用品からなる物品が上記のような包装体内に収容されている場合、上述のように、包装体を切断して使用前の物品を取り出し、該物品を使用済みの物品と交換することになるが、使用済みの物品を開封した状態の包装体内に収容することが困難であるため、使用済みの物品を衛生的に廃棄することが困難となっている。
【０００７】
そこで、本発明は、包装体の開封を容易に行うことができる包装体を形成することができると共に、包装体の開封後には、使用済みの物品や他の物品を収容するための袋材として使用することもできる包装材を提供することを課題とする。また、斯かる包装材を用いて物品が包装されてなる包装体を提供することを課題とする。
【課題を解決するための手段】
【０００８】
本発明に係る包装材は、外シートと内シートとが重なり合うように配置された状態で外シートと内シートとが連結されると共に、外シートと内シートとの間に内部空間が形成された本体部を備えており、外シートが外側となるように本体部で物品を包装する包装材であって、外シートは、一方向における両端部よりも中央部側の領域に、前記一方向に交差する他方向に延びるように形成されて前記一方向に並列して配置される一対の内側端部を備えており、本体部は、一対の内側端部を備える位置で前記他方向に沿って二つに折り返された際に対向するように配置される一対の対向部を備えると共に、一対の内側端部の間から内部空間が外側の空間と連通するように構成されており、該一対の対向部が対向するように配置された状態で一対の対向部同士が分離可能に連結される。
【０００９】
斯かる構成によれば、本体部を構成する外シートは、前記一方向における両端部よりも中央部側の領域に、前記他方向に延びるように形成されて前記一方向に並列して配置される一対の内側端部を備える。また、本体部は、一対の内側端部を備える位置で前記他方向に沿って二つに折り返されて一対の対向部が対向するように配置された状態で、一対の対向部同士が分離可能に連結される。これにより、物品が包装材で包装されてなる包装体が形成される。
【００１０】
ここで、本体部は、一対の内側端部の間から内部空間が外側の空間と連通するように構成されるため、一対の内側端部の間から手を内部空間へ挿入することができる。例えば、内部空間における一対の内側端部を境に前記一方向の一端側に親指を挿入し、他端側に他の指の少なくとも一本を挿入することができる。
【００１１】
そして、手を開く（親指と他の指の少なくとも一本とを離間させる）ことによって、一対の対向部を離間させるように本体部に力を加えることで、一対の対向部の連結が解かれて一対の対向部が分離される。これにより、一対の対向部の間から物品を取り出す（包装体を開封する）ことができる。つまり、包装体を片手で開封することができるため、物品の取り出しを容易に行うことができる。
【００１２】
また、物品を取り出した後、上述のように内部空間へ手を挿入した状態で、一対の対向部の間に他の物品が位置するようにその手で他の物品を掴み、その状態で外シートにおける一方の対向部を構成する領域を裏返しつつ、他方の対向部に被せることで、他の物品に手で直接触れることなく他の物品を包装することができる。つまり、包装体の開封後には、他の物品を収容するための袋材として使用することもできる。
【００１３】
外シートは、一枚の外シート材から構成され、内シートは、一枚の内シート材から構成されており、該外シート材が前記他方向に延びる線状に切り込まれて形成された切込部によって一対の内側端部が形成されることが好ましい。
【００１４】
斯かる構成によれば、外シートが一枚の外シート材から構成され、内シートが一枚の内シート材から構成されており、該外シート材に形成された切込部によって一対の内側端部が形成される。これにより、外シート及び内シートが複数のシート材から構成されるよりも、本体部の構成が簡素なものとなるため、本体部を容易に形成することができる。
【００１５】
外シートは、前記一方向に間隔を空けて配置された一対の外シート片から構成されており、一方の外シート片における他方の外シート片側の端部と、他方の外シート片における一方の外シート片側の端部とによって一対の内側端部が形成されてもよい。
【００１６】
斯かる構成によれば、外シートは、前記一方向に間隔を空けて配置された一対の外シート片から構成される。また、一方の外シート片における他方の外シート片側の端部と、他方の外シート片における一方の外シート片側の端部とによって一対の内側端部が形成される。このため、一対の外シート片の間隔を調節することで、一対の内側端部の間隔を容易に調節することができる。これにより、手を挿入するのに適した一対の内側端部を容易に形成することができる。
【００１７】
本発明に係る包装体は、生理用品、紙おむつ、マスク、ウェットティッシュ、及び、ガーゼからなる群から選択される少なくとも一つの物品が請求項１乃至３の何れか一項に記載の包装材を用いて包装されてなる包装体であって、外シートが外側となるように本体部が一対の内側端部を備える位置で前記他方向に沿って折り返されて一対の対向部の間に物品が配置された状態で、一対の対向部が分離可能に連結されてなる。
【発明の効果】
【００１８】
以上のように、本発明によれば、包装体の開封を容易に行うことができる包装体を形成することができると共に、包装体の開封後には、使用済みの物品や他の物品を収容するための袋材として使用することもできる。
【図面の簡単な説明】
【００１９】
【図１】本発明の一実施形態に係る包装材を示した分解斜視図である。
【図２】（ａ）は、同実施形態に係る包装材に物品を載置した状態を内シート側から見た平面図であり、（ｂ）は、（ａ）のＩ−Ｉ断面図である。
【図３】同実施形態に係る包装材で物品を包装して包装体が形成された状態を示す平面図である。
【図４】（ａ）は、図３のＩＩ−ＩＩ断面図であり、（ｂ）は、図３のＩＩＩ−ＩＩＩ断面図である。
【図５】他の実施形態に係る包装材を示した分解斜視図である。
【図６】（ａ）は、更に他の実施形態に係る包装材で物品を包装して包装体が形成された状態を示す平面図であり、（ｂ）は、更に他の実施形態に係る包装材で物品を包装して包装体が形成された状態を示す平面図である。
【発明を実施するための形態】
【００２０】
以下に、本発明に係る包装材の実施形態について、図面に基づいて説明する。なお、以下の図面において同一又は相当する部分には同一の参照符号を付しその説明は繰り返さない。また、以下の説明で、一方向とは、各図の座標軸のｘ軸に沿った方向であり、他方向とは、各図の座標軸のｙ軸に沿った方向である。また、以下では、「米飯加工食品用包装材」を単に「包装材」と称することがある。
【００２１】
本実施形態に係る包装材１は、図１に示すように、物品を包装可能な大きさのシート状の本体部２を備える。該本体部２は、物品を包装した状態で物品側に配置される内シート３と、外側に配置される外シート４とを備える。また、本体部２は、外シート４と内シート３とが重なり合うように配置される。そして、外シート４と内シート３とが内シート３の外周に沿って（本実施形態では、外シート４と内シート３との外周端部同士が）連結される。また、本体部２は、外シート４と内シート３との間に内部空間が形成されるように構成される。
【００２２】
内シート３及び外シート４を構成するシート材としては、特に限定されるものではなく、例えば、紙製や樹脂製等のシート材が挙げられる。また、内シート３と外シート４とを連結する方法としては、特に限定されるものではなく、例えば、内シート３を構成するシート材と外シート４を構成するシート材とを重ね合わせた状態で、内シート３及び外シート４の外周縁に対応する位置で各シート材を溶断接着する方法や、内シート３と外シート４とを外周端部の位置で内シート３と外シート４とをヒートシールする方法や、接着剤を用いる方法等を用いることができる。
【００２３】
内シート３は、一方向（以下、第一方向とも記す）が長手となるように形成される。また、内シート３は、外シート４と略同一形状となるように形成される。本実施形態では、内シート３は、第一方向の両端部３ａ，３ａが内シート３の外側へ膨出するように円弧状に形成される。本実施形態では、内シート３は、一枚の内シート材から構成される。
【００２４】
外シート４は、第一方向が長手となるように形成される。また、外シート４は、内シート３と略同一形状となるように形成される。本実施形態では、外シート４は、第一方向の両端部４ａ，４ａが外シート４の外側へ膨出するように円弧状に形成される。本実施形態では、外シート４は、一枚の外シート材から構成される。
【００２５】
外シート４は、第一方向の両端部４ａ，４ａよりも中央部側の領域に、第一方向に交差する他方向（以下、第二方向とも記す）に延びるように形成される一対の内側端部４ｂ，４ｂを備える。該一対の内側端部４ｂ，４ｂは、第一方向に並列して形成される。また、外シート４は、外シート材が第二方向に延びる線状に切り込まれて形成された切込部４ｃを備え、該切込部４ｃによって形成される端部が一対の内側端部４ｂ，４ｂを構成する。
【００２６】
また、切込部４ｃの第二方向の両端部は、第二方向における外シート４の両端縁に達するように構成されてもよい。また、切込部４ｃの長さ（第二方向の両端間の長さ）は、外シートにおける切込部４ｃを備える位置の第二方向の両端間の長さに対して、５０％以上１００％以下であることが好ましく、８０％以上１００％以下であることがより好ましい。また、切込部４ｃの形状としては、第二方向に延びる形状であれば、特に限定されるものではなく、例えば、楕円形状であってもよく、長方形状であってもよい。
【００２７】
上記のように構成される包装材１では、本体部２は、図２（ａ）に示すように、一対の内側端部４ｂ，４ｂを備える位置で第二方向に沿って二つに折り返された際に対向するように配置される一対の対向部２ａ，２ａを備える。また、本体部２は、図２（ｂ）に示すように、一対の内側端部４ｂ，４ｂの間から内部空間Ｒが外側の空間と連通するように構成される。また、包装材１では、本体部２における内シート３側に物品Ａが配置される。そして、図３に示すように、外シート４が外側となるように、本体部２を一対の内側端部４ｂ，４ｂを備える位置で第二方向に沿って二つに折り返した状態（一対の対向部２ａ，２ａの間に物品Ａが配置された状態）で一対の対向部２ａ，２ａ同士（具体的には、内シート３の対向する面同士）を分離可能に連結する。これにより、一対の対向部２ａ，２ａ同士が分離可能に連結された分離連結部１０ａを備える包装体１０が形成される。該包装体１０は、本体部２が上述のように折り返されて形成された折り返し端部Ｆを備える。
【００２８】
分離連結部１０ａの形状としては、特に限定されるものではないが、物品Ａの周囲の領域のうち、第一方向において本体部２の折り返し端部Ｆと対抗する位置を含むことが好ましい。本実施形態では、第二方向に延びる本体部２の折り返し端部Ｆの一方の端部から一対の対向部２ａ，２ａの外周形状に沿って他方の端部に及ぶ帯状に形成される。斯かる帯状の分離連結部１０ａの幅Ｌ１としては、特に限定されるものではなく、例えば、第二方向に延びる本体部２の折り返し端部Ｆの長さＬ２に対して１％以上２０％以下であってもよく、５％以上２０％以下であってもよく、８％以上１２％以下であってもよく、１０％程度であってもよい。
【００２９】
一対の対向部２ａ，２ａ同士の連結強度としては、特に限定されるものではなく、例えば、０．１Ｎ以上１０Ｎ未満であることが好ましく、０．５Ｎ以上５Ｎ未満であることがより好ましい。また、一対の対向部２ａ，２ａ同士を分離可能に連結する方法としては、内シート３としてイージーピール性のもの用いたり、内シートの分離連結部１０ａを形成する位置にパートコート剤を塗布したりする方法や、若粘着の両面粘着テープを用いる方法等が挙げられる。
【００３０】
物品Ａとしては、特に限定されるものではなく、例えば、シート状に形成されたものであることが好ましい。具体的には、物品Ａとしては、例えば、生理用品、紙おむつ、マスク、ウェットティッシュ、及び、ガーゼからなる群から選択される少なくとも一つが挙げられる。本実施形態では、物品Ａは、二つに折り返された状態で包装体１０内に収容される。
【００３１】
包装体１０では、図４（ａ）（ｂ）に示すように、一対の内側端部４ｂ，４ｂが本体部２の折り返し位置Ｆに配置される。また、包装体１０は、内部空間Ｒにおける一方の対向部２ａの側に形成される部分Ｒ１、及び、他方の対向部２ａ側に形成される部分Ｒ２に、一対の内側端部４ｂ，４ｂの間から手を挿入可能に構成される。
【００３２】
以上のように、本発明に係る包装材、及び、包装体によれば、包装体の開封を容易に行うことができると共に、包装体の開封後には、使用済みの物品や他の物品を収容するための袋材として包装材を使用することもできる。
【００３３】
即ち、本体部２を構成する外シート４は、第一方向における両端部４ａ，４ａよりも中央部側の領域に、第二方向に延びるように形成されて第一方向に並列して配置される一対の内側端部４ｂ，４ｂを備える。また、本体部２は、一対の内側端部４ｂ，４ｂを備える位置で第二方向に沿って二つに折り返されて一対の対向部２ａ，２ａが対向するように配置された状態で、一対の対向部２ａ，２ａ同士が分離可能に連結される。これにより、物品Ａが包装材１で包装されてなる包装体１０が形成される。
【００３４】
ここで、本体部２は、一対の内側端部４ｂ，４ｂの間から内部空間Ｒが外側の空間と連通するように構成されるため、一対の内側端部４ｂ，４ｂの間から手を内部空間Ｒへ挿入することができる。例えば、内部空間Ｒにおける一対の内側端部４ｂ，４ｂを境に第一方向の一端側に親指を挿入し、他端側に他の指の少なくとも一本を挿入することができる。
【００３５】
そして、手を開く（親指と他の指の少なくとも一本とを離間させる）ことによって、一対の対向部２ａ，２ａをｚ軸に沿った方向へ離間させるように本体部２に力を加えることで、一対の対向部２ａ，２ａの連結が解かれて一対の対向部２ａ，２ａが分離される。これにより、一対の対向部２ａ，２ａの間から物品Ａを取り出す（包装体１０を開封する）ことができる。つまり、包装体１０を片手で開封することができるため、物品Ａの取り出しを容易に行うことができる。
【００３６】
また、物品Ａを取り出した後、上述のように内部空間Ｒへ手を挿入した状態で、一対の対向部２ａ，２ａの間に他の物品が位置するようにその手で他の物品Ａを掴み、その状態で外シート４における一方の対向部２ａを構成する領域を裏返しつつ、他方の対向部２ａに被せることで、他の物品に手で直接触れることなく他の物品を包装することができる。つまり、包装体１０の開封後には、他の物品を収容するための袋材として使用することもできる。
【００３７】
また、外シート４が一枚の外シート材から構成され、内シート３が一枚の内シート材から構成されており、該外シート材に形成された切込部４ｃによって一対の内側端部４ｂ，４ｂが形成される。これにより、外シート４及び内シート３が複数のシート材から構成されるよりも、本体部２の構成が簡素なものとなるため、本体部２を容易に形成することができる。
【００３８】
なお、本発明に係る包装材、及び、包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３９】
例えば、上記実施形態では、外シート４は、一枚の外シート材から構成されているが、これに限定されるものではなく、例えば、図５に示すように、第一方向に間隔を空けて配置された一対の外シート片４ｄ，４ｄから外シート４が構成されてもよい。斯かる場合には、一方の外シート片４ｄにおける他方の外シート片４ｄ側の端部と、他方の外シート片４ｄにおける一方の外シート片４ｄ側の端部とによって一対の内側端部４ｂ，４ｂが形成される。また、斯かる場合には、一対の外シート片４ｄ，４ｄにおける一対の内側端部４ｂ，４ｂを形成する端部以外の端部が内シート３と連結されるように構成される。
【００４０】
斯かる構成によれば、外シート４は、第一方向に間隔を空けて配置された一対の外シート片４ｄ，４ｄから構成される。また、一方の外シート片４ｄにおける他方の外シート片４ｄ側の端部と、他方の外シート片４ｄにおける一方の外シート片４ｄ側の端部とによって一対の内側端部４ｂ，４ｂが形成される。このため、一対の外シート片４ｄ，４ｄの間隔を調節することで、一対の内側端部４ｂ，４ｂの間隔を容易に調節することができる。これにより、手を挿入するのに適した一対の内側端部４ｂ，４ｂを容易に形成することができる。
【００４１】
また、上記実施形態では、分離連結部１０ａは、本体部２の折り返し端部Ｆの一端部から他端部に及ぶように形成されているが、これに限定されるものではなく、例えば、図６（ａ）に示すように、本体部２の折り返し端部Ｆから離れた位置に形成されてもよい。
【００４２】
また、上記実施形態では、分離連結部１０ａは、全域に亘って略同一幅となるように構成されているが、これに限定されるものではなく、例えば、図６（ｂ）に示すように、部分的に幅が狭くなる（換言すれば、部分的に凹部１０ａ１に形成される）ように構成されてもよい。
【００４３】
また、上記実施形態では、分離連結部１０ａは、本体部２の折り返し端部Ｆの一端部から他端部に及ぶように連続的に形成されているが、これに限定されるものではなく、断続的に形成されてもよく、本体部２の折り返し端部Ｆに対抗する領域の一部にのみ形成されてもよい。
【００４４】
また、分離連結部１０ａの端縁の形状としては、特に限定されるものではなく、例えば、直線状、波型状、及び／又は、鋸刃状等であってもよい。
【００４５】
また、上記実施形態では、一対の対向部２ａ，２ａ（具体的には、内シート３）の対向面同士が連結されるように構成されているが、これに限定されるものではなく、例えば、外シート４における一方の対向部２ａを構成する側と他方の対向部２ａを構成する側とを連結するように（換言すれば、一対の対向部２ａ，２ａの対峙する端部を跨ぐように）粘着テープを貼り付けることで、一対の対向部２ａ，２ａを分離可能に連結してもよい。斯かる場合には、粘着テープとしては、上述のように一対の対向部２ａ，２ａを離間させるように手を開いた際に、破断するものや、一対の対向部２ａ，２ａから剥離するものを用いることが好ましい。
【００４６】
また、上記実施形態では、一対の対向部２ａ，２ａ（具体的には、内シート３）の対向面同士が連結されるように構成されているが、これに限定されるものではなく、例えば、一対の対向部２ａ，２ａの外周縁（具体的には、本体部２の折り返し端部Ｆ以外の縁部）が溶断接着されるように構成されてもよい。
【００４７】
また、上記実施形態では、内シート３と外シート４とが同一形状となるように構成されているが、これに限定されるものではなく、内シート３と外シート４とが異なる形状であってもよい。また、上記実施形態では、内シート３の外周端部が外シート４の外周端部と重なり合うように構成されているが、これに限定されるものではなく、例えば、内シート３（又は、外シート４）の外周端部が外シート４（又は、内シート３）の外周端部の内側に位置するように構成されてもよい。
【００４８】
また、上記実施形態では、内シート３と外シート４とが外周縁の全域に亘って連続的に連結されるように構成されているが、これに限定されるものではなく、外周縁の全域に亘って断続的に連結されてもよい。また、上記実施形態では、内シート３の外周縁と外シート４の外周縁とが連結されるように構成されているが、これに限定されるものではなく、内シート３（又は、外シート４は）の外周縁と、外シート４（又は、内シート３）の外周縁よりも内側の領域とが連結されてもよく、内シート３の外周縁よりも内側の領域と、外シート４の外周縁よりも内側の領域とが連結されるように構成されてもよい。
【００４９】
また、上記実施形態では、一対の対向部２ａ，２ａは、外周縁の全域に亘って連続的に連結されるように構成されているが、これに限定されるものではなく、外周縁の全域に亘って断続的に連結されてもよく、外周縁の一部のみが連結されてもよい。
【符号の説明】
【００５０】
１…包装材、２…本体部、２ａ…対向部、３…内シート、４…外シート、４ｂ…内側端部、４ｃ…切込部、４ｄ…外シート片、１０…包装体、１０ａ…分離連結部、１０ａ１…凹部、Ａ…物品、Ｆ…折り返し端部、Ｒ…内部空間
【図１】
2020019539.tif 000003
【図２】
2020019539.tif 000004
【図３】
2020019539.tif 000005
【図４】
2020019539.tif 000006
【図５】
2020019539.tif 000007
【図６】
2020019539.tif 000008